(57)【要約】【課題】建具閉鎖時の衝撃を緩和して衝撃音の発生やはね返りを抑制できると共に、建具を完全に閉じきることができるという効果を有しているにもかかわらず、ほとんどの位置で、通常の動作で建具を開閉できると共に停止させて開放できること。【解決手段】  カバー体８にシリンダー１を固定する。シリンダー１には、内部にエアが入っており、シャフト３後端部に固定したピストン２を往復動可能に収容し、シャフト３をシリンダー１前端部から導出し、中に圧縮ばねの閉鎖ばね４を配設する。シャフト３前端部に磁石９を設けた当接体５を設ける。カバー体８の前端部に保持体６を固定する。保持体６に磁石９が吸着する吸着板１０を設ける。枠体Ｗに吸着板１１が設けられた当受体７を固定する。【選択図】図３
2005290661.tif 000002
【特許請求の範囲】
【請求項１】
建具に固定されるシリンダーに、ピストン、シャフト及び当接体を有するピストンユニットを往復動可能に設けて成る建具用緩衝閉鎖装置であって、シリンダー内に、シャフトに設けられたピストンを往復動可能に収容し、シリンダーの前端部から導出されたシャフトには当接体を設け、ピストンユニットは、閉鎖ばねで後方に付勢されており、このピストンユニットを、閉鎖ばねに抗して前方に引き出した状態で、建具に対して動かないように保持することができる保持体を設けて成り、建具が取り付けられる枠体には、建具が閉鎖する前に、保持体に保持されているピストンユニットの当接体が当接して保持される当受体を設けて成り、建具が閉鎖方向に移動すると、当接体が当受体に当接して、ピストンユニットは保持体から離脱して当受体に保持され、ピストンがシリンダー内を相対的に摺動する時に緩衝されると共に、閉鎖ばねの復元力によって建具を閉鎖方向に移動することができるように成し、閉鎖操作された建具を緩衝して、なおかつ閉鎖させることができる建具用緩衝閉鎖装置。
【請求項２】
枠体に固定されるシリンダーに、ピストン、シャフト及び当接体を有するピストンユニットを往復動可能に設けて成る建具用緩衝閉鎖装置であって、シリンダー内に、シャフトに設けられたピストンを往復動可能に収容し、シリンダーの後端部から導出されたシャフトには当接体を設け、ピストンユニットは、閉鎖ばねで前方に付勢されており、このピストンユニットを、閉鎖ばねに抗して後方に引き出した状態で、枠体に対して動かないように保持することができる保持体を設けて成り、枠体に取り付けられる建具には、建具が閉鎖する前に、保持体に保持されているピストンユニットの当接体に当接して保持される当受体を設けて成り、建具が閉鎖方向に移動すると、当受体が当接体に当接して、ピストンユニットは保持体から離脱して当受体に保持され、ピストンがシリンダー内を相対的に摺動する時に緩衝されると共に、閉鎖ばねの復元力によって建具を閉鎖方向に移動することができるように成し、閉鎖操作された建具を緩衝して、なおかつ閉鎖させることができる建具用緩衝閉鎖装置。
【請求項３】
建具に固定されるシリンダーに、ピストン、シャフト及び当接体を有するピストンユニットを往復動可能に設けて成る建具用緩衝閉鎖装置であって、シリンダー内に、シャフトに設けられたピストンを往復動可能に収容し、シリンダーの後端部から導出されたシャフトには当接体を設け、ピストンユニットは、閉鎖ばねで後方に付勢されており、このピストンユニットを、閉鎖ばねに抗して引っ込めた状態で、建具に対して動かないように保持することができる保持体を設けて成り、建具が取り付けられる枠体には、建具が閉鎖する前に、保持体に保持されているピストンユニットの当接体が当接して保持される当受体を設けて成り、建具が閉鎖方向に移動すると、当接体が当受体に当接して、ピストンユニットは保持体から離脱して当受体に保持され、ピストンがシリンダー内を相対的に摺動する時に緩衝されると共に、閉鎖ばねの復元力によって建具を閉鎖方向に移動することができるように成し、閉鎖操作された建具を緩衝して、なおかつ閉鎖させることができる建具用緩衝閉鎖装置。
【請求項４】
枠体に固定されるシリンダーに、ピストン、シャフト及び当接体を有するピストンユニットを往復動可能に設けて成る建具用緩衝閉鎖装置であって、シリンダー内に、シャフトに設けられたピストンを往復動可能に収容し、シリンダーの前端部から導出されたシャフトには当接体を設け、ピストンユニットは、閉鎖ばねで前方に付勢されており、このピストンユニットを、閉鎖ばねに抗して引っ込めた状態で、枠体に対して動かないように保持することができる保持体を設けて成り、枠体に取り付けられる建具には、建具が閉鎖する前に、保持体に保持されているピストンユニットの当接体に当接して保持される当受体を設けて成り、建具が閉鎖方向に移動すると、当受体が当接体に当接して、ピストンユニットは保持体から離脱して当受体に保持され、ピストンがシリンダー内を相対的に摺動する時に緩衝されると共に、閉鎖ばねの復元力によって建具を閉鎖方向に移動することができるように成し、閉鎖操作された建具を緩衝して、なおかつ閉鎖させることができる建具用緩衝閉鎖装置。
【発明の詳細な説明】
【技術分野】
【０００１】
本発明は、手動で開け閉めする建具を枠体に取り付けたものに使用するものであって、建具の閉鎖前の特定の区間において、建具の速度を緩和し、またその区間内では閉まる方向に能動的に建具を駆動して閉鎖させることができる建具用緩衝閉鎖装置である。つまり、建具を強く閉めても弱く閉めても、一定の位置まで到達すれば、その後は、強く閉めた場合は減速して、弱く閉めた場合は増速して、同じようにゆっくりと閉鎖されるようにしたものである。
【背景技術】
【０００２】
従来より、実願平４−３９４０９号（実開平６−１６７６号）考案のように、建具全開までのどの位置からも閉鎖位置に向けて付勢する手段を有する建具が、この付勢手段にて閉鎖位置に向かう際に制動力を付与する手段を備えた緩衝装置付き自動閉鎖式建具は提案されている。
【特許文献１】実開平６−１６７６号公報
【発明の開示】
【発明が解決しようとする課題】
【０００３】
上記従来例のような自動閉鎖式建具においては、建具がどこの位置にあっても、閉鎖方向の付勢力によって閉まるという利点がある反面、建具を開けようとした場合、建具はどの位置にあってもその付勢力以上の力を加えないと動かず、開放操作には、常に、全開から全閉するのに必要な付勢力に抗する大きな力を必要とするという問題がある。また、建具を開放しておきたい時には、建具を停止するための別の装置を装備しないと、開放状態を維持することができないという問題もある。
本発明は、上記の問題点を解決することが課題であり、建具を強く閉めた時にはその衝撃を緩和して衝撃音の発生やはね返りを抑制することができると共に、万一過大な力ではね返った時や閉める力が弱い時も、建具を閉め残しもなく完全に閉じきることができるという効果を有しているにもかかわらず、閉鎖前の位置を除くほとんどの位置で、緩衝や閉鎖するための装置の力や作用にかかわりのない通常の自然な動作で建具を開閉できると共に、建具を停止させて開放しておくようにすることができるようにしたものである。
【課題を解決するための手段】
【０００４】
本発明は、上記の課題を解決するために、請求項１の発明においては、建具に固定されるシリンダーに、ピストン、シャフト及び当接体を有するピストンユニットを往復動可能に設けて成る建具用緩衝閉鎖装置であって、シリンダー内に、シャフトに設けられたピストンを往復動可能に収容し、シリンダーの前端部から導出されたシャフトには当接体を設け、ピストンユニットは、閉鎖ばねで後方に付勢されており、このピストンユニットを、閉鎖ばねに抗して前方に引き出した状態で、建具に対して動かないように保持することができる保持体を設けて成り、建具が取り付けられる枠体には、建具が閉鎖する前に、保持体に保持されているピストンユニットの当接体が当接して保持される当受体を設けて成り、建具が閉鎖方向に移動すると、当接体が当受体に当接して、ピストンユニットは保持体から離脱して当受体に保持され、ピストンがシリンダー内を相対的に摺動する時に緩衝されると共に、閉鎖ばねの復元力によって建具を閉鎖方向に移動することができるように成し、閉鎖操作された建具を緩衝して、なおかつ閉鎖させることができる建具用緩衝閉鎖装置である。
【０００５】
請求項２の発明においては、枠体に固定されるシリンダーに、ピストン、シャフト及び当接体を有するピストンユニットを往復動可能に設けて成る建具用緩衝閉鎖装置であって、シリンダー内に、シャフトに設けられたピストンを往復動可能に収容し、シリンダーの後端部から導出されたシャフトには当接体を設け、ピストンユニットは、閉鎖ばねで前方に付勢されており、このピストンユニットを、閉鎖ばねに抗して後方に引き出した状態で、枠体に対して動かないように保持することができる保持体を設けて成り、枠体に取り付けられる建具には、建具が閉鎖する前に、保持体に保持されているピストンユニットの当接体に当接して保持される当受体を設けて成り、建具が閉鎖方向に移動すると、当受体が当接体に当接して、ピストンユニットは保持体から離脱して当受体に保持され、ピストンがシリンダー内を相対的に摺動する時に緩衝されると共に、閉鎖ばねの復元力によって建具を閉鎖方向に移動することができるように成し、閉鎖操作された建具を緩衝して、なおかつ閉鎖させることができる建具用緩衝閉鎖装置である。
【０００６】
請求項３の発明においては、建具に固定されるシリンダーに、ピストン、シャフト及び当接体を有するピストンユニットを往復動可能に設けて成る建具用緩衝閉鎖装置であって、シリンダー内に、シャフトに設けられたピストンを往復動可能に収容し、シリンダーの後端部から導出されたシャフトには当接体を設け、ピストンユニットは、閉鎖ばねで後方に付勢されており、このピストンユニットを、閉鎖ばねに抗して引っ込めた状態で、建具に対して動かないように保持することができる保持体を設けて成り、建具が取り付けられる枠体には、建具が閉鎖する前に、保持体に保持されているピストンユニットの当接体が当接して保持される当受体を設けて成り、建具が閉鎖方向に移動すると、当接体が当受体に当接して、ピストンユニットは保持体から離脱して当受体に保持され、ピストンがシリンダー内を相対的に摺動する時に緩衝されると共に、閉鎖ばねの復元力によって建具を閉鎖方向に移動することができるように成し、閉鎖操作された建具を緩衝して、なおかつ閉鎖させることができる建具用緩衝閉鎖装置である。
【０００７】
請求項４の発明においては、枠体に固定されるシリンダーに、ピストン、シャフト及び当接体を有するピストンユニットを往復動可能に設けて成る建具用緩衝閉鎖装置であって、シリンダー内に、シャフトに設けられたピストンを往復動可能に収容し、シリンダーの前端部から導出されたシャフトには当接体を設け、ピストンユニットは、閉鎖ばねで前方に付勢されており、このピストンユニットを、閉鎖ばねに抗して引っ込めた状態で、枠体に対して動かないように保持することができる保持体を設けて成り、枠体に取り付けられる建具には、建具が閉鎖する前に、保持体に保持されているピストンユニットの当接体に当接して保持される当受体を設けて成り、建具が閉鎖方向に移動すると、当受体が当接体に当接して、ピストンユニットは保持体から離脱して当受体に保持され、ピストンがシリンダー内を相対的に摺動する時に緩衝されると共に、閉鎖ばねの復元力によって建具を閉鎖方向に移動することができるように成し、閉鎖操作された建具を緩衝して、なおかつ閉鎖させることができる建具用緩衝閉鎖装置である。
【発明の効果】
【０００８】
以上のように本発明によれば、建具を強く閉めた時にはその衝撃を緩和して衝撃音の発生やはね返りを抑制することができると共に、万一過大な力ではね返った時や閉める力が弱い時も、建具を閉め残しもなく完全に閉じきることができるという効果がある。
【０００９】
また、上記の効果を有しているにもかかわらず、閉鎖前の位置を除くほとんどの位置で、緩衝や閉鎖するための装置の力や作用にかかわりのない通常の自然な動作で建具を開閉できると共に、建具を停止させて開放しておくようにすることができるという効果がある。
【実施例１】
【００１０】
請求項１及び請求項３の発明は、主要部を建具側に取り付けるタイプであり、請求項２及び請求項４の発明は、主要部を枠体側に取り付けるタイプである。なお、特許請求の範囲及び明細書中においては、建具Ｈの閉鎖する方向が前方、開放する方向が後方としてある。
請求項１の発明の実施例を図１〜図１３を参照して説明する。
本実施例の建具用緩衝閉鎖装置は、全部品が断面略倒コ字状のカバー体８の中に収容されて、枠体Ｗに摺動自在に取り付けられた建具Ｈの上端面に取り付けられている。このように部品を建具Ｈに間接的に取り付ける他、もちろんそれぞれ直接取り付けてもよいが、カバー体８に収容すると取付その他取り扱いが便利になる。
なお、本発明においては建具及び枠体に取り付ける部品は全て、直接取り付けてもよいし、間接的に取り付けてもよいのはもちろんである。
【００１１】
カバー体８には、中間部にシリンダー１を、両端部に被嵌される蓋体１２及び蓋体１３によって固定し、後端部に端部キャップ１５を設けてある。シリンダー１後端部の蓋体１３と端部キャップ１５とは所定距離だけ離れて設けられ、この所定距離の分、蓋体１３後方のカバー体８を建具Ｈの幅寸法に合わせて切断して調整できるようになっている。
本実施例においては、シリンダー１は、カバー体８を介して建具Ｈに間接的に取り付けられているが、前述のように建具Ｈに直接取り付けてもよい。
【００１２】
シリンダー１には、内部にエアが入っており、シャフト３後端部に固定したピストン２を往復動可能に収容し、シャフト３をシリンダー１前端部の蓋体１２から導出し、ピストン２と蓋体１２との間には圧縮ばねの閉鎖ばね４を配設してある。
シャフト３前端部には、当接体５を設け、この当接体５の前面に磁石９を設けてある。ピストン２、シャフト３、当接体５及び磁石９でピストンユニットＵを構成している。
なお、ピストン２のシャフト３への取付位置及び当接体５のシャフト３への取付位置については限定しないが、本実施例のように、ピストン２はシャフト３の後端部に取り付け、当接体５はシャフト３の前端部に取り付けると、装置全体がコンパクトになると共に大きな取付スペースを必要とすることがないという利点がある。このことは後述する請求項２の発明についても、前後の違い等があるが同様のことが言える。
【００１３】
閉鎖ばね４は、この実施例においては前述のように、シリンダー１の内部に収容して、ピストン２と蓋体１２との間に配設して両者を離間させる方向に力が働く圧縮ばねであるが、配設場所を変更する等構成を変更すれば、引っ張りばねやガススプリング等でもよく、要するにピストンユニットＵをシリンダー１・建具Ｈに対して後方に付勢するものであればよい。
なお、ピストンユニットＵをシリンダー１・建具Ｈに対して後方に付勢するということは、ピストンユニットＵが後述する当受体７に保持されて枠体Ｗに対して固定された時、建具Ｈを前方すなわち閉鎖方向に付勢するということである。
【００１４】
シリンダー１とピストン２から成る本実施例のダンパー装置は、シリンダー１端部の蓋体１３に空気抜き孔が設けられて、その空気抜き孔の開口面積をビスで調整して緩衝の強さを調整するようになっているが、本実施例に限定されるものではなく、その他のダンパー装置を適用することができる。
【００１５】
カバー体８の前端部には、保持体６が固定されている。この保持体６には、上面に建具Ｈの走行方向（前後方向）に切り欠いてある切欠部１４が設けられ、後面に当接体５の磁石９が吸着する吸着板１０を設けてある。そして、保持体６の吸着板１０に当接体５の磁石９の下部が吸着した時に、磁石９の上部が、建具Ｈの前端側から見えるように露出している構成となっている。
この保持体６の吸着板１０に当接体５の磁石９が吸着することによって、閉鎖ばね４に抗して前方に引き出されたピストンユニットＵが保持体６に保持されるものである。この状態は閉鎖ばね４がチャージされている状態である。
【００１６】
枠体Ｗの鴨居溝の上内面には、細長い基板１６の後端部に吸着板１１が設けられた当受体７が固定されている。この吸着板１１は、鴨居溝の下内面に下に突出するように設けられることになり、保持体６の切欠部１４を通過して、保持体６の吸着板１０に吸着している当接体５の磁石９の上部がこの吸着板１１に当接できるように構成されている。なお、当受体７は、単なる金属製の平板の吸着板を鴨居溝内の戸当り面に設けてもよい。ただしこの場合、シャフト３前端部の当接体５が建具Ｈの前端よりも前方に突出するように設ける必要がある。
【００１７】
なお、本実施例とは逆に、磁石９を吸着板にして、吸着板１０及び１１を磁石にしてもよいことはもちろんであるし、磁石ではなく他の自動キャッチ装置等、保持と離脱が可能な装置であればよい。
また、ピストンユニットＵを保持する保持体部分の構成を、後述する請求項２の発明の実施例の図１６に示すように、シャフト３を保持体１７で保持する構成としてもよいし、要するに、ピストンユニットを、閉鎖ばねに抗して前方に引き出した状態で、建具に対して動かないように保持することができる保持体を、建具あるいは蓋体やピストンユニット等の部品に設けてあればよい。
【００１８】
本発明の建具用緩衝閉鎖装置を建具Ｈに取り付けるには、端部キャップ１５を外して、取り付ける建具Ｈの幅寸法に合わせてカバー体８を切断して調整し、再び端部キャップ１５を固定してから、建具Ｈの上端面にビス止めする。そして、枠体Ｗの鴨居溝の上内面に基板１６の前端部を戸当り面Ｍに接触させた状態にして、当受体７をビス止め固定する。当受体７の基板１６は、吸着板１１がちょうどいい位置に設けられるような長さになっている。
【００１９】
次に建具Ｈの開閉時の説明をする。
ピストンユニットＵの当接体５の磁石９の下部が保持体６の吸着板１０に吸着している状態（建具Ｈが開いている状態）（図６及び図１０の状態）で、建具Ｈを閉める方向に移動すると、閉まりきる前に、当接体５の磁石９の上部が当受体７の吸着板１１に当接して吸着され（図７及び図１１の状態）、さらに建具Ｈが移動すると、保持体６の吸着板１０は磁石９から離れて建具Ｈと共に移動するが、ピストンユニットＵの磁石９は、当受体７の吸着板１１に吸着したままの状態で止まる。従ってピストンユニットＵのピストン２も止まるが、シリンダー１は建具Ｈと共に前方へ移動する。つまり、ピストン２がシリンダー１に対して相対的に後方に摺動するので、ピストン２によってシリンダー１内のエアが圧縮される（図８及び図１２の状態）。この時、建具Ｈが強い力で閉められていれば、その衝撃は緩和されることになる。
【００２０】
そして、前述のように、閉鎖ばね４は、ピストンユニットＵを後方に付勢している、つまりピストン２と蓋体１２とを離間させる方向に力が働いており、ピストンユニットＵの当接体５の磁石９が枠体Ｗに固定された当受体７の吸着板１１に吸着されているので、後方のピストン２は枠体Ｗに対して動かずに、前方の蓋体１２を閉鎖ばね４が前方に押すことになり、蓋体１２が被嵌されているシリンダー１が間接的に取り付けられた建具Ｈが前方すなわち閉鎖方向に移動して戸当り面Ｍに当接し、完全に閉め切られる（図９及び図１３の状態）。
例え建具Ｈが戸当り面Ｍに当接した時はね返ったとしても、閉鎖ばね４の力が建具Ｈを閉める方向に働いているので、最終的に建具Ｈは完全に閉め切られることになる。
【００２１】
閉鎖ばね４が建具Ｈを閉める時にも、シリンダー１とピストン２から成るダンパー装置は抵抗として働くが、当然閉鎖ばね４は、建具Ｈを完全に閉め切ることができる力を持つようになっている。
【００２２】
なお、建具Ｈが閉まり切らないほどの弱い力で閉められた場合でも、当接体５の磁石９の上部が、当受体７の吸着板１１に当接して吸着され、保持体６の吸着板１０が磁石９から外れる位置まで建具Ｈがくれば、閉鎖ばね４の力で建具Ｈは完全に閉め切られることになる。
【００２３】
閉まっている建具Ｈを閉鎖ばね４の力に抗して開ける方向に移動すると、ピストンユニットＵは枠体Ｗに対して動かずに、建具Ｈに固定されているシリンダー１が建具Ｈと共に後退する（図８及び図１２の状態）。シリンダー１が後退する時、内部のピストン２は変形してエアが流通できる構造となっているので、ダンパー装置からの抵抗は大きくない。さらに建具Ｈが移動すると、保持体６の吸着板１０が、当受体７の吸着板１１に吸着している当接体５の磁石９に当接して吸着し（図７及び図１１の状態）、さらに建具Ｈが移動すると、磁石９は、保持体６の吸着板１０に吸着したままの状態で、当受体７の吸着板１１から離れる（図６及び図１０の状態）。
【００２４】
磁石９が当受体７の吸着板１１から離れて保持体６の吸着板１０に吸着している状態では、閉鎖ばね４はチャージされて静止している状態であり、建具Ｈを動かすのに閉鎖ばね４の力は働かなくなり、この状態では、建具Ｈはフリーであってどの位置でも停止させることができる。そして、さらに移動させれば建具Ｈは開放され、人が出入りできるようになる。
【００２５】
なお、当接体５の磁石９が当受体７の吸着板１１に当接する時の建具Ｈの位置から閉まるまでの距離は、建具Ｈが、閉められる時の衝撃を緩和するに十分な距離が必要であるが、あまり長すぎると建具Ｈが停止できるフリーの区間が短くなってしまうので、建具Ｈが、強く閉められた時に緩衝されるに十分な距離で、停止できるフリーの区間が不自由ない距離が望ましく、およそ５〜２５センチメートルの範囲が妥当である。
【実施例２】
【００２６】
請求項２の発明の実施例を図１４〜図１９を参照して説明する。
請求項１の発明の前記実施例においては、建具Ｈ上端面に、全部品が収容されているカバー体８を固定し、枠体Ｗの鴨居上内面に当受体７を固定したものであるのに対し、請求項２の発明の前実施例においては、逆に枠体Ｗの鴨居上内面に、ピストンユニットＵを取り付けたシリンダー１を直接固定し、建具Ｈ上端面に当受体７を固定した構成となっている。なお、本実施例においては、カバー体はなく、シリンダー１を蓋体１２及び１３によって枠体Ｗに直接固定している。
【００２７】
請求項１の発明の前記実施例と請求項２の発明の実施例とは、前後方向が逆になるので、請求項２の発明の実施例においては、ピストンユニットＵは、閉鎖ばね４で後方ではなく前方に付勢されており、このピストンユニットＵを閉鎖ばね４に抗して前方ではなく後方に引き出した状態で、建具Ｈではなく枠体Ｗに対して動かないように保持することができる保持体１７を設けて成るものである。
なお、ピストンユニットＵをシリンダー１・枠体Ｗに対して前方に付勢するということは、ピストンユニットＵが当受体７に保持されて建具Ｈに対して固定された時、建具Ｈを前方すなわち閉鎖方向に付勢するということである。
【００２８】
保持体１７部分の構成は、図１６に示すように、シリンダー１後端部の蓋体１３に孔を内外方向に貫通して設け、そこに球状の保持体１７をばね１９で内方に付勢して、外部からねじ１８で押えて設け、シャフト３には所定位置に溝２１を全周に設け、その前方にＣリングのストッパー２０を固定しておく構成となっている。そして、ピストンユニットＵが閉鎖ばね４に抗して後方に引き出されると、ストッパー２０が蓋体１３内面に当接して、保持体１７が溝２１にばね１９の力で押されて嵌まり、ピストンユニットＵは保持体１７によって保持されることになる。
なお、保持体部分の構成を請求項１の発明の前記実施例の構成としてもよいことはもちろんである。
その他、同じ符号のものは、請求項１の発明の前記実施例と同じものをあらわしている。
【００２９】
次に建具Ｈの開閉時の説明をする。
保持体１７が溝２１に嵌まっている状態（建具Ｈが開いている状態）（図１４及び図１６の状態）で、建具Ｈを閉める方向に移動すると、閉まりきる前に、請求項１の発明の前記実施例とは逆に、建具Ｈ上端面に固定した当受体７の吸着板１１がピストンユニットＵの当接体５の磁石９に当接して吸着して保持され（図１７の状態）、さらに建具Ｈが移動すると、ピストンユニットＵの磁石９は、当受体７の吸着板１１に吸着したままの状態で、建具Ｈと共に前方へ移動し、保持体１７が溝２１から脱してピストンユニットＵのピストン２がシリンダー１に対して相対的に前方に摺動するので、ピストン２によってシリンダー１内のエアが圧縮される（図１８の状態）。この時、建具Ｈが強い力で閉められていれば、その衝撃は緩和されることになる。
【００３０】
そして、前述のように、閉鎖ばね４は、枠体Ｗに固定されている蓋体１３とピストンユニットＵのピストン２とを離間させる方向に力が働いて、ピストンユニットＵを前方に付勢しているので、ピストンユニットＵに吸着している建具Ｈが前方すなわち閉鎖方向に移動して戸当り面Ｍに当接し、完全に閉め切られる（図１９の状態）。
例え建具Ｈが戸当り面Ｍに当接した時はね返ったとしても、閉鎖ばね４の力が建具Ｈを閉める方向に働いているので、最終的に建具Ｈは完全に閉め切られることになる。
【００３１】
閉鎖ばね４が建具Ｈを閉める時にも、シリンダー１とピストン２から成るダンパー装置は抵抗として働くが、当然閉鎖ばね４は、建具Ｈを完全に閉め切ることができる力を持つようになっている。
【００３２】
なお、建具Ｈが閉まり切らないほどの弱い力で閉められた場合でも、当受体７の吸着板１１が当接体５の磁石９に当接して吸着され、保持体１７が溝２１から外れる位置まで建具Ｈがくれば、閉鎖ばね４の力で建具Ｈは完全に閉め切られることになる。
【００３３】
閉まっている建具Ｈを閉鎖ばね４の力に抗して開ける方向に移動すると、ピストンユニットＵの当接体５の磁石９が、建具Ｈに固定された当受体７の吸着板１１に吸着しているので、ピストンユニットＵのピストン２が建具Ｈと共に後退する（図１８の状態）。ピストン２は後退する時、変形してエアが流通できる構造となっているので、ダンパー装置からの抵抗は大きくない。さらに建具Ｈが移動すると、ストッパー２０が蓋体１３内面に当接して、保持体１７が溝２１にばね１９の力で押されて嵌まり、ピストンユニットＵのシャフト３は保持体１７によって保持されることになる（図１６及び図１７の状態）。さらに建具Ｈが移動すると、保持体１７が溝２１に嵌まったままの状態で、当受体７の吸着板１１が当接体５の磁石９から離れる（図１４の状態）。
【００３４】
当受体７の吸着板１１が当接体５の磁石９から離れ、保持体１７が溝２１に嵌まっている状態では、閉鎖ばね４はチャージされて静止している状態である。この状態では、当然建具Ｈはフリーであってどの位置でも停止させることができる。そして、さらに移動させれば建具Ｈは開放され、人が出入りできるようになる。
【実施例３】
【００３５】
請求項３の発明の実施例を図２０〜図３３を参照して説明する。
本実施例の建具用緩衝閉鎖装置は、全部品が断面略倒コ字状のカバー体２９の中に収容されて、枠体Ｗに摺動自在に取り付けられた建具Ｈの上端面に取り付けられている。このように部品を建具Ｈに間接的に取り付ける他、もちろんそれぞれ直接取り付けてもよいが、カバー体２９に収容すると取付その他取り扱いが便利になる。
【００３６】
カバー体２９には、先端部寄りにシリンダー２２を、両端部に被嵌される保持体２７及び蓋体３０によって固定し、両端部に端部キャップ３１・３２を設けてある。カバー体２９は後端部を建具Ｈの幅寸法に合わせて切断して調整できるようになっている。保持体２７は、シリンダー２２の蓋体を兼用しており、後面に磁石３５を設けてある。蓋体３０には、シリンダー２２の内外を連通する孔３９を設けてある。
本実施例においては、シリンダー２２は、カバー体２９を介して建具Ｈに間接的に取り付けられているが、前述のように建具Ｈに直接取り付けてもよい。
【００３７】
シリンダー２２には、内部にエアが入っており、シャフト２４前端部に固定したピストン２３を往復動可能に収容し、シャフト２４をシリンダー２２後端部の保持体２７から後方に導出し、ピストン２３と蓋体３０との間には圧縮ばねの閉鎖ばね２５を配設してある。
シャフト２４後端部には、当接体２６を設けてある。この当接体２６は、シャフト２４後端部に取り付けられる摺動体３３に、ばね３８で上方に付勢されている出没体３４が移動可能に取り付けられている。
なお、ピストン２３のシャフト２４への取付位置及び当接体２６のシャフト２４への取付位置については限定しないが、本実施例のように、ピストン２３はシャフト２４の前端部に取り付け、当接体２６はシャフト２４の後端部に取り付けると、装置全体がコンパクトになると共に大きな取付スペースを必要とすることがないという利点がある。このことは後述する請求項４の発明についても、前後の違い等があるが同様のことが言える。
出没体３４を移動可能にするのは、建具Ｈを枠体Ｗに着脱する際に持ち上げた時に、出没体３４が枠体Ｗの鴨居溝の上内面に当たって引っ込み、邪魔にならずに着脱を可能にするためであり、本実施例のように上下動可能でもよいし、回動可能でもよい。また、摺動体３３と出没体３４は共に磁性体で製作されている。ピストン２３、シャフト２４、当接体２６でピストンユニットＵを構成している。
【００３８】
保持体２７の磁石３５に当接体２６の摺動体３３が吸着することによって、閉鎖ばね２５に抗して前方に引っ込められたピストンユニットＵが保持体２７に保持されるものである。この状態は閉鎖ばね２５がチャージされている状態である。
【００３９】
閉鎖ばね２５は、この実施例においては前述のように、シリンダー２２の内部に収容して、ピストン２３と蓋体３０との間に配設して両者を離間させる方向に力が働く圧縮ばねであるが、配設場所を変更する等構成を変更すれば、引っ張りばねやガススプリング等でもよく、要するにピストンユニットＵをシリンダー２２・建具Ｈに対して後方に付勢するものであればよい。
なお、ピストンユニットＵをシリンダー２２・建具Ｈに対して後方に付勢するということは、ピストンユニットＵが後述する当受体２８に保持されて枠体Ｗに対して固定された時、建具Ｈを前方すなわち閉鎖方向に付勢するということである。
【００４０】
シリンダー２２とピストン２３から成る本実施例のダンパー装置は、シリンダー２２端部の保持体２７に空気抜き孔が設けられて、その空気抜き孔の開口面積をビスで調整して緩衝の強さを調整するようになっているが、本実施例に限定されるものではなく、その他のダンパー装置を適用することができる。
【００４１】
枠体Ｗの鴨居溝の上内面には、基板３６の後端部に磁石３７が設けられた当受体２８が固定されている。この磁石３７は、鴨居溝の下内面に下に突出するように設けられることになり、保持体２７の磁石３５に吸着している当接体２６の出没体３４に当接できるように構成されている。
【００４２】
なお、本実施例とは逆に、磁石３５及び磁石３７を吸着板にして、当接体２６の摺動体３３及び出没体３４を磁石にしてもよいことはもちろんであるし、磁石ではなく他の自動キャッチ装置等、保持と離脱が可能な装置であればよい。
また、ピストンユニットＵを保持する保持体部分の構成を、前述の請求項２の発明の実施例の図１６に示すように、シャフト３を保持体１７で保持する構成としてもよいし、要するに、ピストンユニットを、閉鎖ばねに抗して前方に引っ込めた状態で、建具に対して動かないように保持することができる保持体を、建具あるいは蓋体やピストンユニット等の部品に設けてあればよい。
【００４３】
本発明の建具用緩衝閉鎖装置を建具Ｈに取り付けるには、後端の端部キャップ３２を外して、取り付ける建具Ｈの幅寸法に合わせてカバー体２９を切断して調整し、再び端部キャップ３２を固定してから、建具Ｈの上端面にビス止めする。そして、枠体Ｗの鴨居溝の上内面の適当な位置に、基板３６にビス止めして、当受体２８を固定する。
【００４４】
次に建具Ｈの開閉時の説明をする。
ピストンユニットＵの当接体２６の摺動体３３が保持体２７の磁石３５に吸着している状態（建具Ｈが開いている状態）（図２６及び図３０の状態）で、建具Ｈを閉める方向に移動すると、閉まりきる前に、当接体２６の出没体３４が当受体２８の磁石３７に当接して吸着され（図２７及び図３１の状態）、さらに建具Ｈが移動すると、保持体２７の磁石３５は当接体２６から離れて建具Ｈと共に移動するが、ピストンユニットＵの当接体２６は、当受体２８の磁石３７に吸着したままの状態で止まる。従ってピストンユニットＵのピストン２３も止まるが、シリンダー２２は建具Ｈと共に前方へ移動する。つまり、ピストン２３がシリンダー２２に対して相対的に後方に摺動するので、ピストン２３によってシリンダー２２内のエアが圧縮される（図２８及び図３２の状態）。この時、建具Ｈが強い力で閉められていれば、その衝撃は緩和されることになる。またこの時、ピストン２３と蓋体３０との間のシリンダー２２内は、孔３９から外気が入って負圧にならないようになっている。
【００４５】
そして、前述のように、閉鎖ばね２５は、ピストンユニットＵを後方に付勢している、つまりピストン２３と蓋体３０とを離間させる方向に力が働いており、ピストンユニットＵの当接体２６の出没体３４が枠体Ｗに固定された当受体２８の磁石３７に吸着されているので、後方のピストン２３は枠体Ｗに対して動かずに、前方の蓋体３０を閉鎖ばね２５が前方に押すことになり、蓋体３０が被嵌されているシリンダー２２が間接的に取り付けられた建具Ｈが前方すなわち閉鎖方向に移動して戸当り面Ｍに当接し、完全に閉め切られる（図２９及び図３３の状態）。
例え建具Ｈが戸当り面Ｍに当接した時はね返ったとしても、閉鎖ばね２５の力が建具Ｈを閉める方向に働いているので、最終的に建具Ｈは完全に閉め切られることになる。
【００４６】
閉鎖ばね２５が建具Ｈを閉める時にも、シリンダー２２とピストン２３から成るダンパー装置は抵抗として働くが、当然閉鎖ばね２５は、建具Ｈを完全に閉め切ることができる力を持つようになっている。
【００４７】
なお、建具Ｈが閉まり切らないほどの弱い力で閉められた場合でも、当接体２６の出没体３４が、当受体２８の磁石３７に当接して吸着され、保持体２７の磁石３５が摺動体３３から外れる位置まで建具Ｈがくれば、閉鎖ばね２５の力で建具Ｈは完全に閉め切られることになる。
【００４８】
閉まっている建具Ｈを閉鎖ばね２５の力に抗して開ける方向に移動すると、ピストンユニットＵは枠体Ｗに対して動かずに、建具Ｈに固定されているシリンダー２２が建具Ｈと共に後退する（図２８及び図３２の状態）。シリンダー２２が後退する時、内部のピストン２３は変形してエアが流通できる構造となっているので、ダンパー装置からの抵抗は大きくない。さらに建具Ｈが移動すると、保持体２７の磁石３５が、当接体２６の摺動体３３に当接して吸着し（図２７及び図３１の状態）、さらに建具Ｈが移動すると、当接体２６の摺動体３３は、保持２７の磁石３５に吸着したままの状態で、当接体２６の出没体３４が当受体２８の磁石３７から離れる（図２６及び図３０の状態）。
【００４９】
当接体２６の出没体３４が当受体２８の磁石３７から離れて、摺動体３３が保持体２７の磁石３５に吸着している状態では、閉鎖ばね２５はチャージされて静止している状態であり、建具Ｈを動かすのに閉鎖ばね２５の力は働かなくなり、この状態では、建具Ｈはフリーであってどの位置でも停止させることができる。そして、さらに移動させれば建具Ｈは開放され、人が出入りできるようになる。
【００５０】
なお、当接体２６の出没体３４が当受体２８の磁石３７に当接する時の建具Ｈの位置から閉まるまでの距離は、建具Ｈが、閉められる時の衝撃を緩和するに十分な距離が必要であるが、あまり長すぎると建具Ｈが停止できるフリーの区間が短くなってしまうので、建具Ｈが、強く閉められた時に緩衝されるに十分な距離で、停止できるフリーの区間が不自由ない距離が望ましく、およそ５〜２５センチメートルの範囲が妥当である。
【実施例４】
【００５１】
請求項４の発明の実施例を図３４〜図３７を参照して説明する。
請求項３の発明の前記実施例においては、建具Ｈ上端面に、全部品が収容されているカバー体２９を固定し、枠体Ｗの鴨居上内面に当受体２８を固定したものであるのに対し、請求項４の発明の前実施例においては、逆に枠体Ｗの鴨居上内面に、ピストンユニットＵを取り付けたシリンダー２２を直接固定し、建具Ｈ上端の前端面に当受体２８を固定した構成となっている。なお、本実施例においては、カバー体はなく、シリンダー２２を保持体２７及び蓋体３０によって枠体Ｗに直接固定している。
【００５２】
請求項３の発明の前記実施例と請求項４の発明の実施例とは、前後方向が逆になるので、請求項４の発明の実施例においては、ピストンユニットＵは、閉鎖ばね２５で後方ではなく前方に付勢されており、このピストンユニットＵを閉鎖ばね２５に抗して前方ではなく後方に引っ込めた状態で、建具Ｈではなく枠体Ｗに対して動かないように保持することができる保持体２７を設けて成るものである。
なお、ピストンユニットＵをシリンダー２２・枠体Ｗに対して前方に付勢するということは、ピストンユニットＵが当受体２８に保持されて建具Ｈに対して固定された時、建具Ｈを前方すなわち閉鎖方向に付勢するということである。
【００５３】
ピストンユニットＵの当接体２６は磁石であり、保持体２７の先端面には磁性体の吸着板４０を設け、当受体２８は磁性体で製してある。
その他、同じ符号のものは、請求項３の発明の前記実施例と同じものをあらわしている。
【００５４】
次に建具Ｈの開閉時の説明をする。
当接体２６が保持体２７の吸着板４０に吸着している状態（建具Ｈが開いている状態）（図３４の状態）で、建具Ｈを閉める方向に移動すると、閉まりきる前に、請求項３の発明の前記実施例とは逆に、建具Ｈ上端の前端面に固定した当受体２８がピストンユニットＵの当接体２６に当接して吸着して保持され（図３５の状態）、さらに建具Ｈが移動すると、ピストンユニットＵの当接体２６は、当受体２８に吸着したままの状態で、建具Ｈと共に前方へ移動し、保持体２７の吸着板４０から外れてピストンユニットＵのピストン２３がシリンダー２２に対して相対的に前方に摺動するので、ピストン２３によってシリンダー２２内のエアが圧縮される（図３６の状態）。この時、建具Ｈが強い力で閉められていれば、その衝撃は緩和されることになる。
【００５５】
そして、前述のように、枠体Ｗに固定されている蓋体３０とピストンユニットＵのピストン２３とを離間させる方向に閉鎖ばね２５の力が働いて、ピストンユニットＵを前方に付勢しているので、ピストンユニットＵに吸着している建具Ｈが前方すなわち閉鎖方向に移動して戸当り面Ｍに当接し、完全に閉め切られる（図３７の状態）。
例え建具Ｈが戸当り面Ｍに当接した時はね返ったとしても、閉鎖ばね２５の力が建具Ｈを閉める方向に働いているので、最終的に建具Ｈは完全に閉め切られることになる。
【００５６】
閉鎖ばね２５が建具Ｈを閉める時にも、シリンダー２２とピストン２３から成るダンパー装置は抵抗として働くが、当然閉鎖ばね２５は、建具Ｈを完全に閉め切ることができる力を持つようになっている。
【００５７】
なお、建具Ｈが閉まり切らないほどの弱い力で閉められた場合でも、当受体２８が当接体２６に当接して吸着され、当接体２６が保持体２７の吸着板４０から外れる位置まで建具Ｈがくれば、閉鎖ばね２５の力で建具Ｈは完全に閉め切られることになる。
【００５８】
閉まっている建具Ｈを閉鎖ばね２５の力に抗して開ける方向に移動すると、ピストンユニットＵの当接体２６が、建具Ｈに固定された当受体２８に吸着しているので、ピストンユニットＵのピストン２３が建具Ｈと共に後退する（図３６の状態）。ピストン２３は後退する時、変形してエアが流通できる構造となっているので、ダンパー装置からの抵抗は大きくない。さらに建具Ｈが移動すると、当接体２６が保持体２７の吸着板４０に当接して吸着し（図３５の状態）、さらに建具Ｈが移動すると、当接体２６が保持体２７の吸着板４０に吸着したままの状態で、当受体２８が当接体２６から離れる（図３４の状態）。
【００５９】
当受体２８が当接体２６の吸着板４０から離れている状態では、閉鎖ばね２５はチャージされて静止している状態である。この状態では、当然建具Ｈはフリーであってどの位置でも停止させることができる。そして、さらに移動させれば建具Ｈは開放され、人が出入りできるようになる。
【図面の簡単な説明】
【００６０】
【図１】請求項１の発明を建具及び枠体に取り付けた状態の全体正面図である。
【図２】請求項１の発明のカバー体を切り欠いた状態の正面図である。
【図３】請求項１の発明で、カバー体及びシリンダーの一部を切り欠いた状態の要部拡大斜視図である。各部の名称を説明しやすくするために便宜上、当接体と保持体を離した状態にしてある。
【図４】請求項１の発明の一部を省略した要部拡大縦断面図である。各部の名称を説明しやすくするために便宜上、当接体と保持体を離した状態にしてある。
【図５】図４のＡ−Ａ線拡大端面図である。
【図６】請求項１の発明の縦断面図であり、当接体が当受体に当接する直前の状態を示している。
【図７】請求項１の発明の縦断面図であり、当接体が当受体に当接した状態を示している。
【図８】請求項１の発明の縦断面図であり、当接体が保持体から離れ当受体に保持されている状態を示している。
【図９】請求項１の発明の縦断面図であり、建具が完全に閉められた状態を示している。
【図１０】図６の要部拡大図である。
【図１１】図７の要部拡大図である。
【図１２】図８の要部拡大図である。
【図１３】図９の要部拡大図である。
【図１４】請求項２の発明の縦断面図であり、当受体が当接体に当接する直前の状態を示している。
【図１５】図１４のＢ部の拡大図である。
【図１６】図１４のＣ部の拡大図である。
【図１７】請求項２の発明の縦断面図であり、当受体が当接体に当接した状態を示している。
【図１８】請求項２の発明の縦断面図であり、保持体が溝から離れた状態を示している。
【図１９】請求項２の発明の縦断面図であり、建具が完全に閉められた状態を示している。
【図２０】請求項３の発明を建具及び枠体に取り付けた状態の全体正面図である。
【図２１】請求項３の発明のカバー体を切り欠いた状態の正面図である。
【図２２】請求項３の発明の要部の斜視図である
【図２３】請求項３の発明で、カバー体及びシリンダーの一部を切り欠いた状態の要部拡大斜視図である。各部の名称を説明しやすくするために便宜上、当接体と保持体を離した状態にしてある。
【図２４】請求項３の発明の一部を省略した要部拡大縦断面図である。各部の名称を説明しやすくするために便宜上、当接体と保持体を離した状態にしてある。
【図２５】図２４のＤ−Ｄ線拡大端面図である。
【図２６】請求項３の発明の縦断面図であり、当接体が当受体に当接する直前の状態を示している。
【図２７】請求項３の発明の縦断面図であり、当接体が当受体に当接した状態を示している。
【図２８】請求項３の発明の縦断面図であり、当接体が保持体から離れ当受体に保持されている状態を示している。
【図２９】請求項３の発明の縦断面図であり、建具が完全に閉められた状態を示している。
【図３０】図２６の要部拡大図である。
【図３１】図２７の要部拡大図である。
【図３２】図２８の要部拡大図である。
【図３３】図２９の要部拡大図である。
【図３４】請求項４の発明の縦断面図であり、当受体が当接体に当接する直前の状態を示している。
【図３５】請求項４の発明の縦断面図であり、当受体が当接体に当接した状態を示している。
【図３６】請求項４の発明の縦断面図であり、当接体が保持体から離れた状態を示している。
【図３７】請求項４の発明の縦断面図であり、建具が完全に閉められた状態を示している。
【符号の説明】
【００６１】
Ｈ    建具
Ｗ    枠体
Ｕ    ピストンユニット
１    シリンダー
２    ピストン
３    シャフト
４    閉鎖ばね
５    当接体
６    保持体
７    当受体
２２    シリンダー
２３    ピストン
２４    シャフト
２５    閉鎖ばね
２６    当接体
２７    保持体
２８    当受体
【図１】
2005290661.tif 000003
【図２】
2005290661.tif 000004
【図３】
2005290661.tif 000005
【図４】
2005290661.tif 000006
【図５】
2005290661.tif 000007
【図６】
2005290661.tif 000008
【図７】
2005290661.tif 000009
【図８】
2005290661.tif 000010
【図９】
2005290661.tif 000011
【図１０】
2005290661.tif 000012
【図１１】
2005290661.tif 000013
【図１２】
2005290661.tif 000014
【図１３】
2005290661.tif 000015
【図１４】
2005290661.tif 000016
【図１５】
2005290661.tif 000017
【図１６】
2005290661.tif 000018
【図１７】
2005290661.tif 000019
【図１８】
2005290661.tif 000020
【図１９】
2005290661.tif 000021
【図２０】
2005290661.tif 000022
【図２１】
2005290661.tif 000023
【図２２】
2005290661.tif 000024
【図２３】
2005290661.tif 000025
【図２４】
2005290661.tif 000026
【図２５】
2005290661.tif 000027
【図２６】
2005290661.tif 000028
【図２７】
2005290661.tif 000029
【図２８】
2005290661.tif 000030
【図２９】
2005290661.tif 000031
【図３０】
2005290661.tif 000032
【図３１】
2005290661.tif 000033
【図３２】
2005290661.tif 000034
【図３３】
2005290661.tif 000035
【図３４】
2005290661.tif 000036
【図３５】
2005290661.tif 000037
【図３６】
2005290661.tif 000038
【図３７】
2005290661.tif 000039